(57)【要約】【課題】運動者が、たとえ高齢者又は身体障害者であったとしても、支持手段により乗せ部材方向へ移動することを妨げられることなく、容易に、乗せ部材に着座して、筋力強化を図ることができる。【解決手段】足の筋力強化のため、足押し板３を両足で押すことで、運動者を着座させた乗せ部材２が、足押し板３から離れる方向へスライドする運動用器具１であって、支持手段７は、床面に載置されているフレーム部１０を有し、フレーム部１０は、一端側起立部１０ａ、１１ａが乗せ部材２と反対方向へ湾曲又は屈曲して足押し板３を支持すると共に、他端側起立部４７、１２ｃで乗せ部材２を支持し、乗せ部材２と足押し部材４との間に運動者が出入り可能な空間２４を設けている。【選択図】  図１
2004194985.tif 000002
【特許請求の範囲】
【請求項１】
運動者を着座させる乗せ部材と、
該乗せ部材に運動者が着座した状態で運動者が足で押す足押し板を有する足押し部材と、
運動者が前記足押し板を足で押した際に、前記乗せ部材及び前記足押し部材のうち少なくとも一方が移動することに抗する荷重をかける荷重手段と、
前記乗せ部材及び前記足押し部材を支持する支持手段と、を備えた運動用器具であって、
前記支持手段は、床面に載置されているフレーム部を有し、該フレーム部は、一端側起立部が前記乗せ部材と反対方向へ湾曲又は屈曲して前記足押し板を支持すると共に、他端側起立部で前記乗せ部材を支持し、前記乗せ部材と前記足押し部材との間に運動者が出入り可能な空間を設けたことを特徴とする運動用器具。
【請求項２】
運動者を着座させる乗せ部材と、
該乗せ部材に運動者が着座した状態で運動者が足で押す足押し板を有する足押し部材と、
運動者が前記足押し板を足で押した際に、前記乗せ部材及び前記足押し部材のうち少なくとも一方が移動することに抗する荷重をかける荷重手段と、
前記乗せ部材及び前記足押し部材を支持する支持手段と、を有する運動用器具であって、
前記支持手段における、床面に置かれて運動者が乗せ部材に着座するために踏み込む部分として、平行に延びると共に接触して並べられた少なくとも３つのフレーム部を備えたことを特徴とする運動用機器。
【請求項３】
前記３つのフレーム部の内、両側の２つのフレーム部は、前記乗せ部材から離れる方向に突出する略コの字形状であって、且つ並列に配列されており、前記両側の２つのフレーム部の側部の上端部には前記足押し板の下端部が回動可能に取り付けられるものであって、
前記３つのフレーム部の内、中央のフレーム部は、上方が開口した略コの字形状とされ、前記中央のフレーム部の前側部の上端部は、前記両側の２つのフレーム部の上端部より上方に延びて、前記足押し板における下端部より上方の部分を支持すると共に、前記中央のフレーム部の後側部は上方に延びており、前記乗せ部材を下方から支持するものである、ことを特徴とする請求項２に記載の運動用器具。
【請求項４】
運動者を着座させる乗せ部材と、
該乗せ部材に運動者が着座した状態で、運動者が足で押す足押し板を有する足押し部材と、
運動者が前記足押し板を足で押した際に、前記乗せ部材及び前記足押し部材のうち少なくとも一方が移動することに抗する荷重をかける荷重手段と、
前記乗せ部材及び前記足押し部材を支持する支持手段と、を有する運動用器具であって、
前記足押し板に、運動者が使用する手すり部を設けたことを特徴とする運動用器具。
【請求項５】
前記手すり部は、前記足押し板の外周にそって延びる手すり部、又は、前記足押し板の足押し面に設けられた手すり部であることを特徴とする請求項４に記載の運動用器具。
【請求項６】
前記足押し板の角部は面取り加工されていることを特徴とする請求項１〜４のいずれかに記載の運動用器具。
【発明の詳細な説明】
【０００１】
【発明の属する技術分野】
本発明は、運動者が、たとえ高齢者又は身体障害者等であっても、無理なく使用することができる運動用器具に関する。
【０００２】
【従来の技術】
従来、足の筋力強化のため、足押し板を両足で押すことで、運動者を着座させた乗せ部材が、足押し板から離れる方向へスライドする運動用器具であって、乗せ部材のスライド移動に抗する荷重をかける荷重手段を備えた運動用器具が提案されている（例えば、非特許文献１参照。）。
【０００３】
【非特許文献１】
介護予防・自立支援・パワーリハビリテーション研究会編集「パワーリハビリテーション  Ｎｏ．１」医歯薬出版株式会社、２００２年９月２０日、ｐ．５８−６４
【０００４】
【発明が解決しようとする課題】
しかしながら、従来の運動用器具では、支持フレームが、足押し板と乗せ部材を繋いで水平方向に延びており、更に、足押し板の下部から床面に向かって垂直方向に延びていた。そのため、運動者が乗せ部材に着座する際に支持フレームをまたがなければならないために着座しにくかった。特に、運動者が高齢者又は身体障害者等である場合に、運動用器具を使用しにくいものであった。
更に、従来の運動用器具では、支持フレームのうちで床面に置かれる部分は、複数のフレーム部が間隔を置いて設けられており、特に、運動者が高齢者又は身体障害者等である場合に、躓くおそれがあった。
更に又、従来の運動用器具では、運動者が運動用器具に着座する際に、掴まる部分がなく、特に、運動者が高齢者又は身体障害者等である場合に、バランスを崩すおそれがあった。
本発明は、以上のような問題点に鑑みてなされたものであり、運動者が、たとえ高齢者又は身体障害者等であったとしても、容易に、乗せ部材に着座することができる運動用器具を提供することを目的とする。
【０００５】
【課題を解決するための手段】
以上の目的のため、本発明は、運動者を着座させる乗せ部材と、該乗せ部材に運動者が着座した状態で運動者が足で押す足押し板を有する足押し部材と、運動者が前記足押し板を足で押した際に、前記乗せ部材及び前記足押し部材のうち少なくとも一方が移動することに抗する荷重をかける荷重手段と、前記乗せ部材及び前記足押し部材を支持する支持手段と、を備えた運動用器具であって、前記支持手段は、床面に載置されているフレーム部を有し、該フレーム部は、一端側起立部が前記乗せ部材と反対方向へ湾曲又は屈曲して前記足押し板を支持すると共に、他端側起立部で前記乗せ部材を支持し、前記乗せ部材と前記足押し部材との間に運動者が出入り可能な空間を設けたことを特徴とする運動用器具である。
この発明によれば、乗せ部材と足押し部材との間に運動者が出入り可能な空間を設けたので、運動者が、たとえ高齢者又は身体障害者であったとしても、支持手段により乗せ部材方向へ移動することを妨げられることなく、容易に、乗せ部材に着座して、筋力強化を図ることができる。
更に、本発明は、運動者を着座させる乗せ部材と、該乗せ部材に運動者が着座した状態で運動者が足で押す足押し板を有する足押し部材と、運動者が前記足押し板を足で押した際に、前記乗せ部材及び前記足押し部材のうち少なくとも一方が移動することに抗する荷重をかける荷重手段と、前記乗せ部材及び前記足押し部材を支持する支持手段と、を有する運動用器具であって、前記支持手段における、床面に置かれて運動者が前記乗せ部材に着座するために踏み込む部分として、平行に延びると共に接触して並べられた少なくとも３つのフレーム部を備えたことを特徴とする運動用機器である。
この発明によれば、床面に置かれる部分として、平行に延びると共に接触して並べられた少なくとも３つのフレーム部を備えたので、運動者が、たとえ高齢者又は身体障害者であったとしても、フレーム部に躓くことなく、容易に、乗せ部材に着座して、筋力強化を図ることができる。
３つのフレーム部の内、両側の２つのフレーム部は、乗せ部材から離れる方向に突出する略コの字形状であって、且つ並列に配列されており、両側の２つのフレーム部の側部の上端部には足押し板の下端部が回動可能に取り付けられるものであって、３つのフレーム部の内、中央のフレーム部は、上方が開口した略コの字形状とされ、中央のフレーム部の前側部は、両側の２つのフレーム部の上端部より上方に延びて、足押し板における下端部より上方の部分を支持すると共に、中央のフレーム部の後側部は上方に延びており、乗せ部材を下方から支持するものである、ことを特徴としている。この発明によれば、簡単な構成により、足押し板や乗せ部材を支持することができる。
更に、本発明は、運動者を着座させる乗せ部材と、該乗せ部材に運動者が着座した状態で、運動者が足で押す足押し板を有する足押し部材と、運動者が前記足押し板を足で押した際に、前記乗せ部材及び前記足押し部材のうち少なくとも一方が移動することに抗する荷重をかける荷重手段と、前記乗せ部材及び前記足押し部材を支持する支持手段と、を有する運動用器具であって、前記足押し板に、運動者が使用する手すり部を設けたことを特徴とする運動用器具である。
この発明によれば、足押し板に手すり部を設けているので、運動者が、たとえ高齢者又は身体障害者であったとしても、手すり部に掴まることで、容易に、乗せ部材に着座して、筋力強化を図ることができる。
更に、本発明において、手すり部は、足押し板の外周にそって延びる手すり部、又は、前記足押し板の足押し面に設けられた手すり部であっても良いが、この場合、運動者が、たとえ高齢者又は身体障害者であったとしても、容易に、手すり部に掴まることができる。
更に又、本発明において、足押し板の角部は面取り加工されていれば、運動者が高齢者又は身体障害者であっても、安全に運動用機器に着座することができる。
【０００６】
【発明の実施の形態】
本発明の実施の形態を、図面にそって説明する。
図１〜図３は、本発明の実施の形態による運動用器具１である。
【０００７】
本発明の実施の形態による運動用器具１は、運動者を着座させる乗せ部材２と、運動者が足で押す足押し板３を備える足押し部材４と、運動者が足押し板３を足で押す動作に抗する荷重をかける錘５を備える荷重手段６と、乗せ部材２、足押し部材４、及び荷重手段６を支持する支持手段７と、を備えている。
支持手段７は、足押し部材４及び乗せ部材２を支持する足押し部材・乗せ部材支持フレーム部８と、荷重手段支持フレーム部９とを備えている。
【０００８】
足押し部材・乗せ部材支持フレーム部８は、３つの板状フレーム部１０、１１、１２が平行に且つ接触して連結されている。３つのフレーム部１０、１１、１２のうち、両側の２つのフレーム部１０、１１は、乗せ部材２と反対側に膨らむ略コの字形状をした同一形状であり、且つ、中央のフレーム部１２を挟んで並列に配列されている。両側の２つのフレーム部１０、１１の上方に延びる一方の側部１０ａ、１１ａの上端部には、足押し板３の下端部が回動可能に取り付けられ、下方の平板１０ｂ、１１ｂは床面に置かれ、床面に沿って乗せ部材２の下方に延びている。
両側の２つのフレーム部１０、１１の側部１０ａ、１１ａは、足押し部材４と乗せ部材２との間及び足押し部材４の下方に運動者が入る空間２４を形成すべく、足押し板３の下部を起点として、乗せ部材２から離間する方向に延びる第１の部分１３と、第１の部分１３における乗せ部材２から離間する方向の端部から連っていて、下方に且つ床面に対し略垂直方向に延びる第２の部分１４と、を備えている。また、両側の２つのフレーム部１０、１１の第３の部分１５としての平板１０ｂ、１１ｂは、第２の部分１４の下端部から連なるものであり、床面に対し水平方向に且つ乗せ部材２の下方に延びている。
【０００９】
３つのフレーム部１０、１１、１２のうち、中央のフレーム部１２は、上方が開口した略コの字形状をしており。前側部１２ａと、床面に置かれる平板部１２ｂと、後側部１２ｃと、平板部１２ｂの途中から上方に延びる中央支持部４７と、を備えている。中央のフレーム部１２の前側部１２ａは、両側の２つのフレーム部１０、１１の上端位置より上方に延びて、後述の連結部材２０と連結する。床面に置かれる平板部１２ｂは、両側の２つのフレーム部１０、１１における第３の部分１５と並んで平行に延びている。中央のフレーム部１２の後側部１２ｃは上方に延びて、乗せ部材支持フレーム部本体２３の後端部を下方から支持しており、中央支持部４７は、乗せ部材支持フレーム部本体２３の前端部を下方から支持している。
【００１０】
中央のフレーム部１２の前側部１２ａと連結される連結部材２０が、足押し部材４と連結されている。連結部材２０は、中央のフレーム部１２の前側部１２ａに対し回動可能に連結する筒状のフレーム部連結部２１、及びフレーム部連結部２１内に進退可能に挿入されていて、足押し部材４に対し回動可能に連結する棒状の足押し部材連結部２２とを備えている。フレーム部連結部２１に対する足押し部材連結部２２の繰り出し長さを調節することにより、連結部材２０の全長を可変にできるようになっている。
【００１１】
中央のフレーム部１２の後側部１２ｃの上端部に連なる乗せ部材支持フレーム部本体２３には、上下２本のスライドレール２６、２７が備えられており、この上下２本のスライドレール２６、２７の間に、乗せ台支持部３８に取り付けられたローラ（図示せず）が設けられる。このローラによって乗せ台支持部３８がスライドレール２６、２７に沿って水平方向に前後動可能とされている。
【００１２】
図２におけるように、足押し部材・乗せ部材支持フレーム部８と略平行な位置に台形状の荷重手段支持フレーム部９が固定され、両フレーム部８、９は、支持フレーム部連結部２５によって連結されている。
【００１３】
次に、図４を参照として、本発明の実施の形態による運動用器具１の足押し部材４につき、説明する。
２つのフレーム部１０、１１の側部１０ａ、１１ａの上端部には、足押し板３が回動可能な状態で支持されている。足押し板３における足押し面３０の裏面には、連結部材２０と連結する連結片３１が設けられている。前述のように、連結部材２０の全長を可変にして、足押し板３の床面に対する角度を調整して固定する。
【００１４】
図１及び図４に示すように、足押し板３は、例えば長方形の板状であり、その表面をなす足押し面３０には、水平方向に並んだ棒状の２つの手すり部３２が設けられている。２つの手すり部３２の各々は、コの字状であり、その両端部が足押し面３０に固定されている。
足押し板３の側面（厚み部）３３には、パイプ状の側部手すり部(第２の手すり部)３４が設けられている。側部手すり部３４は足押し板３の外周に沿って設けられており、足押し板３の角部３５は何れも面取り加工されており曲面状をしているため、側部手すり部３４も湾曲した形状となっている。側部手すり部３４の一端部は、足押し板３の側面の下端部近傍に固定されており、他端部は、足押し板３の上辺部を介して、反対側(荷重手段側)の側面の上端部近傍に固定されている。
足押し板３における足押し面３０の幅方向両端部の各々には、上下方向に延びる目盛り部３６が設けられている。
【００１５】
また、足押し板３の足押し面３０上には、取付・取外可能なマーキング部材３７が適宜位置に備えられている。マーキング部材３７は磁石部（図示せず）を有し、金属製の足押し板３に吸着される。また、磁石部に代えて、足押し板３及びマーキング部材３７の双方に、面ファスナーを設けて、足押し板３に対しマーキング部材３７を着脱可能に固定しても良い。
【００１６】
尚、足押し板３の両側部３３に目盛り部３６を設けても良く、また、図４に示すように、目盛り部３６を足押し面３０に設けると共に、足押し板３を透明にして、足押し面３０の裏面からでも目盛り部３６を確認できるようにしても良い。
足押し部材４は、足押し板３と、連結片３１と、目盛り部３６と、マーキング部材３７と、手すり部３２と、側部手すり部３４と、を備えている。
【００１７】
次に、乗せ部材２につき説明する。
乗せ部材支持フレーム部本体２３には、取り付けられているローラ（図示せず）が上下２本のスライドレール２６、２７に嵌った状態で移動する乗せ台支持部３８が設けられており、乗せ台支持部３８には、運動者が腰掛ける乗せ台３９が支持されている。乗せ台支持部３８には、上半身支え部材支持部４０が支持部回動軸４１を中心に回動可能に支持されている。上半身支え部材支持部４０の下端部は、乗せ台支持部３８に設けられた支持部角度可変部材４２に備えられた複数の止め孔４３の内、いずれかの位置で固定ピンにより固定されることにより、上半身支え部材支持部４０の乗せ台３９に対する角度を調整可能としている。
上半身支え部材支持部４０には、運動者の上半身を支える上半身支え部材４４が固定される。上半身支え部材支持部４０の両側部の各々には複数の孔部４５が設けられている。２つの肩押さえ棒４６が、複数の孔部４５の内のいずれかに固定される。２つの肩押さえ棒４６の各々には、運動者の両肩の各々の移動を制限する２つの肩押さえパッド２８が支持されている。
【００１８】
乗せ部材２は、上記のように、乗せ台支持部３８と、乗せ台３９と、上半身支え部材支持部４０と、支持部角度可変部材４２と、上半身支え部材４４と、２つの肩押さえ棒４６と、２つの肩押さえパッド２８と、を備えている。
【００１９】
次に、荷重手段６につき説明する。
図１及び図３において、荷重手段支持フレーム部９における上方で水平に延びる部分には、ワイヤー２９を介して錘５を吊り下げて支持する第１の滑車１６が設けられており、上方で水平に延びる部分と下方に延びる部分の連結箇所には、第１の滑車１６により送られたワイヤー２９を下方に伸ばすための第２の滑車１７が設けられている。第２の滑車１７の直下には、第２の滑車１７により送られたワイヤー２９を乗せ部材２方向に伸ばすための第３の滑車（図示せず）が設けられている。乗せ部材支持フレーム部本体２３の略中央位置には、第３の滑車により送られたワイヤー２９を、足押し板３から離れる方向に伸ばすための第４の滑車１８が設けられている。ワイヤー２９の先端部は、乗せ台３９の下方において支持部材角度可変部材４２の後端部４２ａに固定される。
尚、錘５は、運動者の筋肉強度や訓練目的等に合わせて重量を可変にできる。
荷重手段６は、錘５と、ワイヤー２９と、第１〜第４の滑車１６、１７、１８と、を備えている。
【００２０】
図１に示すように、本発明の実施の形態による運動用機器１において、運動者が入る空間２４は、フレーム部１０、１１、１２における一端側起立部１０ａ、１１ａが乗せ部材２と反対方向へ湾曲又は屈曲して足押し板３を支持すると共に、他端側起立部４７、１２ｃで乗せ部材２を支持することで形成されている。
【００２１】
次に、本発明の実施の形態による運動用器具１の動作につき、説明する。
まず始めに、運動者は、フレーム部連結部２１に対する足押し部材連結部２２の繰り出し長さを調節した状態で固定して、足押し板３における床面に対する角度を調整して固定する。
また、運動者は、上半身支え部材支持部４０の下端部を、乗せ台支持部３８に設けられた支持部角度可変部材４２に備えられた複数の止め孔４３の内いずれかの位置で固定ピンにより固定する。これにより、上半身支え部材４４を、床面に対する角度を調整して固定する。
【００２２】
その後、運動者が、足押し板３を向いた横歩きをしつつ、足押し板３に設けられた手すり部３２又は側部手すり部３４に掴まりながら、空間２４を通り、フレーム部１０、１１、１２における床面に置かれる部分に足をおいて、乗せ台３９に着座する。運動者は、乗せ台３９に着座して上半身支え部材４４により上半身を支えられると共に、両肩を２つの肩押さえパッド２８へ押し付けることで上半身を固定する。
【００２３】
それから、両足を足押し板３の足押し面３０に置く。足押し面３０に両足を置く位置は、目盛り部３６に対し、予め、トレーナーにより伝えられているところである。尚、トレーナーがマーキング部材３７を足押し面３０に取り付けておいても良い。
その後、運動者が両足で足押し面３０を押すと、運動者を乗せた乗せ部材２が錘５の重力に抗して、スライドレール２６、２７が延びる方向に沿って、足押し板３から離間する方向へ移動し始める。すると、支持部材角度可変部材４２の後端部４２ａに固定されているワイヤー２９が錘５を持ち上げる方向に移動し始める。錘５による荷重に抗して、運動者が両足を伸ばし続けると、運動者を乗せた乗せ部材２が、両足が伸びきる位置まで移動する。その後、両足を弛めると、錘５による荷重により、運動者を乗せた乗せ部材５がスライドレール２６、２７が延びる方向に沿って、足押し部材４に近接する方向へ移動し始め、初期位置に戻る。このような、両足で足押し板３を押すことにより乗せ部材２が離れ、両足が伸びきって両足を弛めると、乗せ部材２が元の位置へ戻るという動作を、数回から数十回、繰り返すことにより、運動者による運動用器具１の使用が終了する。
【００２４】
本発明によれば、支持手段７は、床面に載置されているフレーム部１０、１１、１２を有し、フレーム部１０、１１、１２は、一端側起立部１０ａ、１１ａが乗せ部材２と反対方向へ湾曲又は屈曲して足押し板３を支持すると共に、他端側起立部４７、１２ｃで乗せ部材２を支持し、乗せ部材２と足押し部材４との間に運動者が出入り可能な空間２４を設けたので、運動者が、たとえ高齢者又は身体障害者であったとしても、支持手段７により乗せ部材２方向へ移動することを妨げられることなく、容易に、乗せ部材２に乗って、筋力強化を図ることができる。
更に、本発明によれば、床面に置かれる部分として、平行に延びると共に接触して並べられた少なくとも３つのフレーム部１０、１１、１２を備えたので、運動者が、たとえ高齢者又は身体障害者であったとしても、フレーム部１０、１１に躓くことなく、容易に、乗せ部材２に乗って、筋力強化を図ることができる。
【００２５】
更に、本発明によれば、３つのフレーム部１０、１１、１２の内、両側の２つのフレーム部１０、１１は、乗せ部材２から離れる方向に突出する略コの字形状であって、且つ並列に配列されており、両側の２つのフレーム部１０、１１の側部の上端部には足押し板３の下端部が回動可能に取り付けられるものであって、３つのフレーム部１０、１１、１２の内、中央のフレーム部１２は、上方が開口した略コの字形状とされ、中央のフレーム部１２の前側部の上端部は、両側の２つのフレーム部１０、１１の上端位置より上方に延びて、足押し板３における下端部より上方の部分を支持すると共に、中央のフレーム部１２の後側部は上方に延びており、乗せ部材２を下方から支持するものであるので、簡単な構成により、足押し板３や乗せ部材２を支持することができる。
【００２６】
更に、本発明によれば、足押し板３に、運動者が使用する手すり部３２、３４を設けたので、運動者が、たとえ高齢者又は身体障害者であったとしても、手すり部３２、３４に掴まることで、容易に、乗せ部材２に着座して、筋力強化を図ることができる。
更に、本発明によれば、手すり部は、足押し板３の外周にそって延びる棒状の手すり部（側部手すり部）３４、又は、足押し板３の足押し面３０に設けられた棒状の手すり部３２であるので、運動者が、たとえ高齢者又は身体障害者であったとしても、容易に、手すり部３２、３４に掴まることができる。
【００２７】
足押し板３の外周にそって延びる棒状の手すり部３４の一端部は、足押し板３における、運動者が乗せ部材２に着座すべく移動する方向側の側部３３であって、且つ足押し板３の下端部近傍に固定されており、他端部は、反対側の側部３３であり、足押し板３の上端部近傍に固定されているので、運動者が乗り部材２に着座しやすくできると共に、手すり部３４用の棒状部材を短くでき、コストダウンを図れる。
【００２８】
更に又、本発明によれば、足押し板３の角部３５は面取り加工されているので、運動者が高齢者又は身体障害者であり、誤って足押し板３に接触しても、怪我を回避することができる。
【００２９】
更に、本発明によれば、足押し板３に、足押し板３に置くべき足の位置を示すための表示部を備えているので、足押し板３のいずれの位置に足を置けば良いかにつき容易に把握でき、運動者が、たとえ高齢者又は身体障害者等であったとしても、足を置くべき位置を誤ることなく、適切に筋力強化を図ることができる。
【００３０】
更に、本発明において、表示部は目盛り部３６であるので、複数の運動者に共通の表示部により、足押し板３のいずれの位置に足を置けば良いかにつき容易に把握できる。
更に、本発明は、足押し板３に置くべき足の位置を示すものであり、足押し板３に対して取付・取外可能なマーキング部材３７を備えているので、使用者が交代した際でも、マーキング部材３７の位置を変更することで、足を置くべき位置を適切に示すことができる。
【００３１】
更に又、本発明において、マーキング部材３７は、磁力又は面ファスナーの係合により、足押し板３に固定されるものであるので、容易にマーキング部材３７の取付・取外を行うことができる。
【００３２】
更に、本発明によれば、足押し板３の足置き面３０に表示部を設けたので、乗せ台に載った使用者が、容易に足置き位置を確認することができるものであり、又、本発明によれば、足押し板３の側部３３に表示部を設けたので、使用者のトレーナー等が、容易に足置き位置を確認して使用者に知らせることができる。
更に、本発明において、マーキング部材３７を、足押し板３の足置き面３０に設けているので、乗せ部材２に載った使用者が、容易に足置き位置を確認することができる。
【００３３】
更に、本発明において、足押し板３における表示部が備えられた箇所を透明としているので、使用者のトレーナー等が、足押し板３に対し乗せ部材２の反対側から表示部を容易に確認して、使用者に足置き位置についてアドバイスできる。
更に、本発明において、足押し板３における、マーキング部材３７を固定する箇所を透明としているので、使用者のトレーナー等が、足押し板３に対し乗せ部材２の反対側からマーキング部材３７を容易に確認して、使用者に足置き位置についてアドバイスできる。
【００３４】
尚、以上に述べた運動用器具は、足押し板３が固定で乗せ部材２が移動するが、逆に、乗せ部材２が固定で足押し板３が移動し、足押し板３の移動に抗する荷重手段を備えた運動用器具に本発明を適用しても良い。
【００３５】
【発明の効果】
本発明によれば、支持手段は、床面に載置されているフレーム部を有し、フレーム部は、一端側起立部が乗せ部材と反対方向へ湾曲又は屈曲して足押し板を支持すると共に、他端側起立部で乗せ部材を支持し、乗せ部材と足押し部材との間に運動者が出入り可能な空間を設けたので、運動者が、たとえ高齢者又は身体障害者であったとしても、支持手段により乗せ部材方向へ移動することを妨げられることなく、容易に、乗せ部材に乗って、筋力強化を図ることができる。
【００３６】
更に、本発明によれば、床面に置かれる部分として、平行に延びると共に接触して並べられた少なくとも３つのフレーム部を備えたので、運動者が、たとえ高齢者又は身体障害者であったとしても、フレーム部に躓くことなく、容易に、乗せ部材に着座して、筋力強化を図ることができる。
【００３７】
更に、本発明によれば、３つのフレーム部の内、両側の２つのフレーム部は、乗せ部材から離れる方向に突出する略コの字形状であって、且つ並列に配列されており、両側の２つのフレーム部の側部の上端部には足押し板の下端部が回動可能に取り付けられるものであって、３つのフレーム部の内、中央のフレーム部は、上方が開口した略コの字形状とされ、中央のフレーム部の前側部の上端部は、両側の２つのフレーム部の上端部より上方に延びて、足押し板における下端部より上方の部分を支持すると共に、中央のフレーム部の後側部は上方に延びており、乗せ部材を下方から支持するものであるので、簡単な構成により、足押し板や乗せ部材を支持することができる。
【００３８】
更に、本発明は、運動者を着座させる乗せ部材と、該乗せ部材に運動者が着座した状態で、運動者が足で押す足押し板を有する足押し部材と、運動者が足押し板を足で押した際に運動者の人体の少なくとも一部が移動することに抗する荷重をかける荷重手段と、前記乗せ部材、前記足押し部材、及び前記荷重手段を支持する支持手段と、を有する運動用器具であって、前記足押し板に、運動者が使用する手すり部を設けたことを特徴とする運動用器具である。この発明によれば、足押し板に手すり部を設けているので、運動者が、たとえ高齢者又は身体障害者であったとしても、手すり部に掴まることで、容易に、乗せ台に着座して、筋力強化を図ることができる。
【００３９】
更に、本発明において、手すり部は、足押し板の外周にそって延びる手すり部、又は、前記足押し板の足押し面に設けられた手すり部であっても良いが、この場合、運動者が、たとえ高齢者又は身体障害者であったとしても、容易に、手すり部に掴まることができる。
【００４０】
更に又、本発明において、足押し板の角部は面取り加工されていれば、運動者が高齢者又は身体障害者であっても、安全に、運動用機器に着座することができる。
【図面の簡単な説明】
【図１】本発明の実施の形態による運動用機器の正面図である。
【図２】本発明の実施の形態による運動用機器の上面図である。
【図３】本発明の実施の形態による運動用機器の左側面図である。
【図４】本発明の実施の形態による運動用機器における足押し部材を足押し面方向から見た図である。
【符号の説明】
１              運動用器具
２              乗せ部材
３              足押し板
４              足押し部材
６              荷重手段
７              支持手段
１０、１１      両側の２つのフレーム部
１０ａ、１１ａ  一端側起立部
１２            中央のフレーム部
１２ｃ          他端側起立部
２４            空間
３２            手すり部
３４            側部手すり部
３５            足押し板の角部
４７            他端側起立部
【図１】
2004194985.tif 000003
【図２】
2004194985.tif 000004
【図３】
2004194985.tif 000005
【図４】
2004194985.tif 000006